(57)【特許請求の範囲】
【請求項１】
カラー画像をカラーモード又はモノクロモードで読み取る読取手段と、
当該読取手段がカラーモードで読み取ったカラー画像をモノクロ画像に変換する画像変換回路と、
当該読取手段で読み取った画像データを送信する送信先に関する送信先情報を記憶する送信先情報記憶手段と、
当該送信先情報記憶手段に記憶された送信先を複数選択し、かつ送信指示を行うキー入力部と、
当該入力部により選択された送信先情報に基づいて上記複数の送信先に前記読取手段により読み取った画像データを送信する画像データ送信制御手段と、を備える画像読取装置において、
前記送信先情報記憶手段の送信先情報は、相手先のファクシミリ電話番号並びに当該番号に対応するカラーデータ送信又はモノクロデータ送信の情報を含み、
前記キー入力部による送信指示により、指定された各送信先がカラーデータ送信又はモノクロデータ送信かを前記送信先情報記憶手段に記憶された送信先情報によって順に判定し、全てがモノクロデータ通信であった場合には前記読取手段はモノクロモードで読み取り、上記カラーデータ送信とモノクロデータ送信とが混在する場合には前記読取手段はカラーモードで読み取った後に前記画像変換回路により当該カラー画像をモノクロ画像に変換し、前記画像データ送信制御手段は、上記送信先毎にカラー画像又はモノクロ画像を順に送信するように制御する画像読取装置。
【請求項２】
請求項１記載の画像読取装置において、前記送信先情報記憶手段の上記送信先情報には、相手先のメールアドレス並びに当該アドレスに対応するカラーデータ送信又はモノクロデータ送信の情報を含み、前記キー入力部による送信指示により、指定された各送信先がメール送信又はファクシミリ送信か並びにカラーデータ送信又はモノクロデータ送信かを前記送信先情報記憶手段に記憶された送信先情報によって順に判定し、全てがモノクロデータ通信であった場合には前記読取手段はモノクロモードで読み取り、上記カラーデータ送信とモノクロデータ送信とが混在する場合には前記読取手段はカラーモードで読み取った後に前記画像変換回路により当該カラー画像をモノクロ画像に変換し、前記画像データ送信制御手段は、上記送信先毎にカラー画像又はモノクロ画像を順に送信するように制御する画像読取装置。
【発明の詳細な説明】
【０００１】
【発明の属する技術分野】
本発明は、原稿上の画像をカラーまたはモノクロデータとして読み取る画像読取装置に関するものである。
【０００２】
【従来の技術】
近年、ネットワークの普及にともない、電子メールでの情報のやりとりが盛んに行われるようになった。そのため、ファクシミリ装置においても公衆回線を利用して画像データの送受信を行う以外に、ネットワークを使用して画像データの送受信を行う機能が設けられている。これによれば、使用者は電話番号を入力する代わりに送信先のアドレスを入力することによって、ネットワーク上の送信先に画像データを送信することができる。
【０００３】
【発明が解決しようとする課題】
しかしながら従来のファクシミリのような装置では、ネットワークに関する知識に精通していないユーザーにとっては、送信先がファクシミリかまたは電子メールかを区別して認識する必要があることや、ファクシミリの電話番号を入力する代わりにアドレスを入力する必要があることなど、その取扱いが非常に難しいものとなっていた。
【０００４】
本発明は、文書上の情報を読み取ることにより複数の宛先に文書送信することが可能な画像読取装置を提供することを目的とする。
【０００５】
【課題を解決するための手段】
本発明は上記問題点を解決するために、画像データを読み取る読取手段と、前記読取手段にて読み取った画像データを送信する送信先に関する送信先情報を複数機能可能な送信先情報記憶手段と、前記読取手段にて読み取った画像データを、前記送信先情報記憶手段に記憶された送信先情報に基づいて、複数の送信先に送信する画像データ送信制御手段とを有する。
【０００６】
【発明の実施の形態】
以下、添付図面に従って本発明に係る実施例を詳細に説明する。
【０００７】
図１は、本発明の一実施例における画像読取装置の外観を示す斜視図であって、５１は画像読取装置本体、５２は読み取る原稿を搭載するための原稿台、５３は原稿台５２の蓋である。また、５は液晶パネルによる表示部、６はキー入力部である。
【０００８】
図２は本実施例における画像読取装置のブロック構成図である。図中、１は本装置全体を制御するＣＰＵである。２はＲＯＭであり、メール／ファクシミリ送信に係るプログラムと、後述する処理手順を格納している。３は送信先情報記憶部であり、図４に示す送信先情報を格納している。４はＲＡＭであり、ＲＯＭ２のプログラムやファイル上のデータがここに展開される。５は液晶パネルで構成される表示部であり、複数の送信先をアイコンで表示させるものである。なお送信先はメールなのかファクシミリなのかユーザーには意識させない。６はキー入力部であり、送信先を選択したり送信実行を指示するためのものである。なお複数の送信先を選択できるものとする。７は画像読取部であり、モノクロ、カラーのどちらのモードでも読み取れるものとし、モノクロモードで読み取った場合はモノクロ画像データ記憶部８へ格納し、カラーモードで読み取った場合はカラー画像データ記憶部９へ格納する。１０はモデムであり、ファクシミリ送信の場合、画像読取部７で読み取った画像データをファクシミリとして公衆回線を通して送信する。１１はネットワークアダプタであり、メール送信の場合、画像読取部７で読み取った画像データをメールとしてＬＡＮを通して送信する。１３はＳＣＳＩインターフェースであり、画像読取部７で読み取った画像データはここを通して外部のパーソナルコンピュータ等へ送信される。１５は画像変換回路であって、カラー画像データをモノクロ画像データに変換する。
【０００９】
画像読取部７は、図３に示すように、原稿を３原色ＲＧＢの色成分毎に読み取るためのＣＣＤ３１、３２、３３と、ＣＣＤ３１、３２、３３から出力されるアナログ信号をデジタル信号に変換するＡ／Ｄ変換器３４、３５、３６と、Ａ／Ｄ変換された３原色の画像データから１つのカラー画像データやモノクロ画像データを生成する画像処理回路３７を有している。上記したモノクロモードでの読み取りでは、ＣＣＤ３２のみを使用して行われるため、３原色のデータから画像データを生成する処理が不要となり、カラーモードの場合と比べて処理速度が各段に速い。
【００１０】
図４は送信先情報記憶部３内の送信先情報のデータ構成図である。各送信先情報は、送信先ＩＤ、送信先表示名、送信先機器種別、送信先カラーフラグ、送信先アドレスから構成されている。送信先ＩＤは送信先を区別するために送信先情報毎に付与されるユニークな情報で、これを用いて個々の送信先情報を取得する。送信先表示名は、表示部５にアイコンとして表示される。送信先機器種別で、送信先がファクシミリなのかメールなのかを示している。送信先カラーフラグは、送信先にモノクロの画像を送信しなければならないのか、カラーの画像を送信してよいのかを示す。送信先アドレスは、送信先のメールアドレス又はファクシミリ番号を示す。この送信先情報は、キー入力部６から予め複数の送信先について設定が行われるものである。
【００１１】
次に本実施例における画像データの送信手順を図５のフローチャートに従って説明する。まずステップ１では、送信先情報記憶部３内の各送信先情報の送信先表示名を元に表示部５に表示されている複数の送信先のアイコンから、キー入力部６を使って、ユーザーが送信したい相手を複数選択して、スタートボタンを押す。この時ユーザーは送信先がメールなのかファクシミリなのか、カラーモードで読み取るのかモノクロモードで読み取るのかを意識しなくてもよい。ステップ２ではユーザーが選択した複数の送信先のＩＤ及び送信先数ｎを送信先ＩＤテーブル記憶部１２に登録する。ステップ３でループカウンタｉをリセットし、モノクロ画像データ記憶部８、カラー画像データ記憶部９をクリアする。次にステップ４からステップ７までの、原稿をカラーモードで読み取るかモノクロモードで読み取るかを調べる処理をｎ回繰り返す。ステップ５で送信先ＩＤテーブル記憶部１２に記憶されたｉ番目の送信先ＩＤであるＩＤ［ｉ］の送信先情報を送信先情報記憶部３から読み込み、ステップ６でその送信先情報内の送信先カラーフラグが立っているものがないか調べる。もしあればループを終了し、ステップ８で画像読取部７がカラーモードで読み取りを実行し、カラー画像データ記憶部９にカラー画像を格納する。また、すべての送信先の送信先情報の送信先カラーフラグが立っておらず、ステップ４の判断でループを終了した場合、選択された送信先はすべてモノクロで送信しなければならないので、ステップ９で画像読取部７が処理速度の速いモノクロモードで読み取り、モノクロ画像データ記憶部８にモノクロ画像を格納する。次にステップ１０でループカウンタｉをリセットし、ステップ１１からステップ２１までの送信処理をｎ回繰り返す。ステップ１２では送信先ＩＤテーブル記憶部１２内のＩＤ［ｉ］に対応する送信先情報を読み取り、ステップ１３で送信先カラーフラグが立っているかを判断する。立っていなければ送信先はカラーの画像を受け取ることができない。ステップ１４でモノクロ画像データ記憶部８にモノクロ画像があるか判断し、モノクロ画像がなかったらカラー画像データ記憶部９のカラーの読み取り画像を画像変換回路１５でモノクロ画像に変換し、モノクロ画像データ記憶部８に格納する。つまり、以前にカラー画像からモノクロ画像への変換を行った場合は、再び変換処理を行うことはない。そしてステップ１６で送信画像データをモノクロ画像データ記憶部８内のモノクロ画像データとする。さて、ステップ１３で送信先カラーフラグが立っていた場合は、送信先はカラーの画像を受け取ることができるので、ステップ１７で送信画像データをカラー画像データ記憶部９内のカラー画像データとする。送信するときはステップ１８で送信先情報の送信先機器種別をみてメールであればステップ１９でネットワークアダプタ１１を通して送信先情報の送信先アドレスにメールとして送信し、ファクシミリであればステップ２０でモデム１０を通して送信先情報の送信先アドレス（ファクシミリ番号）にファクシミリとして送信する。そして再びステップ１１に戻り、すべての送信先に送信し終わるまで同様の処理を繰り返す。
【００１２】
以上説明したように本実施例によれば、複数の宛先に送信する場合、複数の送信先の機器がすべてモノクロの画像しか受けられない場合には、自動的にモノクロで読み取り、カラー画像の受信ができる送信先が含まれる場合にはカラーで読み取り、モノクロの画像しか受けられない相手に対してだけカラーの画像をモノクロの画像に自動的に１度だけ変換して送信することにより、ユーザーに意識させずにもっとも効率のよい１回の読み取りを実行し、送信することができる。
【００１３】
尚、本実施例では送信先情報として、送信先機器種別や送信先カラーフラグを有することとしたが、送信先がメールであるかファクシミリであるかの判別を、送信先アドレスがメールアドレスであるか電話番号かで行うようにし、ファクシミリであれば相手先はモノクロ、メールであればカラーとするようにしてもよい。
【００１４】
【発明の効果】
本発明によれば、メールとファクシミリが混在した複数の宛先に対して、極めて容易に画像データを送信することができる。
【図面の簡単な説明】
【図１】本発明の一実施例の画像読取装置の斜視図
【図２】同実施例のブロック図
【図３】同実施例における画像読取部のブロック図
【図４】同実施例における送信先情報の構成図
【図５】同実施例の処理フローチャート
【図６】同実施例の処理フローチャート
【符号の簡単な説明】
１  ＣＰＵ
２  ＲＯＭ
３  送信先情報記憶部
４  ＲＡＭ
５  表示部
６  キー入力部
７  画像読取部
８  モノクロ画像データ記憶部
９  カラー画像データ記憶部
１０  モデム
１１  ネットワークアダプタ
１２  送信先ＩＤテーブル記憶部
１３  ＳＣＳＩインターフェース
【図１】
0003799737.tif 000002
【図２】
0003799737.tif 000003
【図３】
0003799737.tif 000004
【図４】
0003799737.tif 000005
【図５】
0003799737.tif 000006
【図６】
0003799737.tif 000007